(57)【特許請求の範囲】
【請求項１】
光を発する光源と、
前記光源で発した光を長手方向の一端から他端に向かって誘導するとともに、周囲の面から光を透過させて光を外部に照射する導光体と、
前記導光体の背面側に配置され、前記導光体の周囲の面を透過した光を表面側に向けて反射させるリフレクタと、を備え、
前記リフレクタは、前記導光体の他端が差し込まれる差込口を有し、
前記導光体の他端の端面は、当該導光体の表面側から背面側に向かうに従って長手方向の他端の延出長さが長くなる傾斜面によって構成されていることを特徴とする車両用照光装置。
【請求項２】
前記差込口の配置される位置から前記導光体の一端側に向かって延び、前記導光体の表面側を覆う遮蔽部を備えていることを特徴とする請求項１に記載の車両用照光装置。
【請求項３】
前記遮蔽部と別体の部材であって前記導光体の他端の端面と対向して前記差込口の背部を覆う覆い部材を備え、
前記導光体の他端の端面は、前記導光体の長手方向に対して該長手方向に進む光が全反射する角度以上に傾斜していることを特徴とする請求項２に記載の車両用照光装置。
【発明の詳細な説明】
【技術分野】
【０００１】
本発明は、車両用照光装置に関するものである。
【背景技術】
【０００２】
車両には、ポジションランプやサイドターンランプ等の照光装置が装備されている。ポジションランプ等の車両用照光装置として、光源から発された光を導光体によって所望の領域に誘導し、導光体の外面を透過する光を外部に照射するものが開発されている。（例えば、特許文献１参照）
【０００３】
特許文献１に記載の車両用照光装置は、帯状の導光体の長手方向の一端側に光源が設けられ、光源から発された光が導光体の他端側に向かって誘導されるとともに、導光体の長手方向の中途部の外面から光が外部に照射されるようになっている。また、この車両用照光装置の場合、導光体の背面側には後方に照射された光を前方側に反射されるためのリフレクタが配置されており、導光体の長手方向の他端はリフレクタの表面側からリフレクタの差込口に差し込まれている。この車両用照光装置は、導光体の長手方向の他端がリフレクタの差込口に差し込まれることにより、導光体の長手方向の他端の端面からで出射した透過光がリフレクタの表面で反射して導光体の周囲の面（照射面）の一部を点状に光らせる不都合を防止している。
【先行技術文献】
【特許文献】
【０００４】
【特許文献１】特許第４８０６７１５号公報
【発明の概要】
【発明が解決しようとする課題】
【０００５】
しかしながら、特許文献１に記載の車両用照光装置は、導光体の長手方向の他端からの透過光がリフレクタの表面で反射するのを防止できるようになるものの、導光体内を長手方向の他端に向かって進んだ光が他端の内面で直接反射して、導光体の周囲の面の一部を点状に光らせる現象を防止することができない。
【０００６】
そこで本発明は、導光体の長手方向の他端の端面で反射した光が導光体の周囲の面の一部を点状に光らせる現象を抑制することができる車両用照光装置を提供しようとするものである。
【課題を解決するための手段】
【０００７】
本発明に係る車両用照光装置は、上記課題を解決するために以下の構成を採用した。
即ち、本発明に係る車両用照光装置は、光を発する光源（例えば、実施形態の光源１１）と、前記光源で発した光を長手方向の一端から他端に向かって誘導するとともに、周囲の面から光を透過させて光を外部に照射する導光体（例えば、実施形態の導光体１２）と、前記導光体の背面側に配置され、前記導光体の周囲の面を透過した光を表面側に向けて反射させるリフレクタ（例えば、実施形態のリフレクタ１３）と、を備え、前記リフレクタは、前記導光体の他端が差し込まれる差込口（例えば、実施形態の差込口１４）を有し、前記導光体の他端の端面（例えば、実施形態の端面１２ｅ）は、当該導光体の表面側から背面側に向かうに従って長手方向の他端の延出長さが長くなる傾斜面によって構成されていることを特徴とする。
【０００８】
上記の構成により、光源から発された光は、導光体の長手方向の一端から他端に向かって進み、その間に導光体の周囲の面から光が外部に照射される。導光体の長手方向の他端に進んだ光は、リフレクタの差込口からリフレクタの背面側まで進んで導光体の長手方向の他端の端面に当たる。導光体の長手方向の他端の端面は、導光体の表面側から背面側に向かうに従って長手方向の他端の延出長さが長くなる傾斜面とされているため、その端面で反射した光の多くは背面側に向かって進むことになる。このため、導光体の長手方向の他端の端面で反射した光は導光体の前面側に出射されにくくなる。
【０００９】
車両用照光装置は、前記差込口の配置される位置から前記導光体の一端側に向かって延び、前記導光体の表面側を覆う遮蔽部（例えば、実施形態の遮蔽壁１５）をさらに備える構成であっても良い。
【００１０】
この場合、導光体の長手方向の他端の端面で反射した光の一部が背面側以外の方向に進むことがあっても、差込口の近傍部から導光体の前方側に向かう光を遮蔽部によって遮ることができる。したがって、導光体の長手方向の他端の端面で反射した光が導光体の周囲の面の一部を点状に光らせる現象をより抑制することができる。
【００１１】
車両用照光装置は、前記遮蔽部と別体の部材であって前記導光体の他端の端面と対向して前記差込口の背部を覆う覆い部材（例えば、実施形態の側壁５ｓ）をさらに備え、前記導光体の他端の端面が、前記導光体の長手方向に対して該長手方向に進む光が全反射する角度以上に傾斜している構成であっても良い。
【００１２】
この場合、差込口の背部を覆う覆い部材が遮蔽部と別体の部材によって構成されているため、覆い部材と遮蔽部の成形性を高めることができる。ただし、覆い部材と遮蔽部とが別体の部材であると、両者の間に隙間ができ、導光体の長手方向の他端の端面から出射した光がその隙間を通して外部に漏れ出る可能性が考えられる。しかし、導光体の他端の端面が、導光体の長手方向に対して該長手方向に進む光が全反射する角度以上に傾斜しているため、導光体の他端の端面に到達した光の殆どは全反射して導光体の他端の端面から外部に出射しなくなる。したがって、この車両用照光装置を採用した場合、覆い部材と遮蔽部の隙間から光が漏れるのを抑制することができる。
【発明の効果】
【００１３】
本発明によれば、導光体の他端が差し込まれる差込口がリフレクタに設けられ、導光体の他端の端面が、当該導光体の表面側から背面側に向かうに従って長手方向の他端の延出長さが長くなる傾斜面とされているため、導光体の長手方向の他端の端面で反射した光が導光体の前面側に出射されにくくなり、その結果、導光体の周囲の面の一部を点状に光らせる現象を抑制することが可能になる。
【図面の簡単な説明】
【００１４】
【図１】本発明の一実施形態のヘッドライトユニットの斜視図である。
【図２】本発明の一実施形態のヘッドライトユニットの一部を拡大した斜視図である。
【図３】本発明の一実施形態のヘッドライトユニットの図２のＩＩＩ−ＩＩＩ線に沿う断面図である。
【発明を実施するための形態】
【００１５】
以下、本発明の一実施形態を図面に基づいて説明する。なお、以下の説明における前後左右等の向きは、特に記載が無ければ以下に説明する車両における向きと同一とする。また以下の説明に用いる図中適所には、車両前方を示す矢印ＦＲ、車両左方を示す矢印ＬＨ、車両上方を示す矢印ＵＰが示されている。
【００１６】
図１は、自動車の前部のヘッドライトユニット１を示す図である。
ヘッドライトユニット１は、車幅方向の中心に対して車両の前部に左右対称に配置されている。本実施形態では車両左側のヘッドライトユニット１を図示して説明する。
ヘッドライトユニット１は、ユニットハウジング５の前部に、ハイビーム３やロービーム４等とともにポジションランプ１０が配置されている。本実施形態においては、ポジションランプ１０が車両用照光装置を構成している。
【００１７】
ポジションランプ１０は、通電によって光を発するＬＥＤ等の光源１１と、光源１１で発した光を長手方向の一端から他端に向かって誘導するとともに、周囲の面から光を透過させる導光体１２と、を備えている。導光体１２は、帯状の透明樹脂によって構成されている。導光体１２は、ユニットハウジング５の車幅方向外側の側辺と下辺に沿うように正面視が略Ｌ字状に形成されている。光源１１は、ユニットハウジング５内の車幅方向外側の側辺の上部付近に、導光体１２の一端部に対向するように配置されている。
【００１８】
図２は、図１のＩＩ部を拡大して角度を変えて見た図であり、図３は、図２のＩＩＩ−ＩＩＩ線に沿う断面を示す図である。
これらの図に示すように、ユニットハウジング５の前面には、導光体１２の背面側に配置され、導光体１２の周囲の面から透過した光を車両の前方側（表面側）に向けて反射させるリフレクタ１３が取り付けられている。本実施形態においては、ポジションランプ１０（車両用照光装置）の表面側とは車両の前方側を意味し、ポジションランプ１０（車両用照光装置）の背面側とは、車両の後方側を意味するものとする。ただし、車両の側部や後部に配置される車両用照光装置においては、表面側とは、車両の側方や後方を意味し、背面側とは、その表面側と相反する方向を意味する。
【００１９】
ユニットハウジング５の車幅方向内側寄りの下端近傍部に配置されるリフレクタ１３の右側の壁１３ｒには、導光体１２の他端が指し込まれる差込口１４が形成されている。差込口１４を通してリフレクタ１３の右側の壁１３ｒの裏側に突出した導光体１２の他端部は、差込口１４の背部を覆うユニットハウジング５の前面側の右側の側壁５ｓ（図３参照）に対向している。本実施形態の場合、ユニットハウジング５の前面側の側壁５ｓが、導光体１２の他端の端面１２ｅと対向して差込口１４の背部を覆う覆い部材を構成している。
【００２０】
導光体１２の他端の端面１２ｅは、導光体１２の他端側の延出方向と直角な端面形状てはなく、図２，図３に示すような一定方向に傾斜した傾斜面とされている。具体的には、導光体１２の端面１２ｅは、導光体１２の表面側（ＦＲ側）から背面側に向かうに従って長手方向の他端の延出長さが長くなる傾斜面とされている。換言すれば、端面１２ｅは、導光体１２を上方側から見たときに、導光体１２の延出方向と鈍角を成すような傾斜面とされている。
【００２１】
導光体１２の他端の端面１２ｅは、より詳細には、導光体１２の長手方向に対し、導光体１２内を長手方向に進む光が全反射する角度以上に導光体１２の他端方向に傾斜している。なお、本明細書において、導光体１２についての長手方向とは、帯状の導光体１２の延出方向を意味するものとする。
【００２２】
また、リフレクタ１３の右側の壁１３ｒから裏面側に突出する導光体１２の突出長さと、導光体１２の端面１２ｅの傾斜角は、導光体１２内を長手方向に進む光が端面１２ｅで全反射したときに、その光がリフレクタ１３の後壁の背面側に向かうように設定されていることが望ましい。
【００２３】
また、リフレクタ１３の右側の壁１３ｒには、差込口１４の周縁部から導光体１２の一端側に向かって延出する遮蔽壁１５（遮蔽部）が延設されている。遮蔽壁１５は、導光体１２の他端のうちの差込口１４の近傍部の周囲をリフレクタ１３の表面側で所定長さ範囲に亘って覆っている。遮蔽壁１５（遮蔽部）は、リフレクタ１３に一体に形成されているため、導光体１２の他端の端面の外側を覆うユニットハウジング５の右側の壁１３ｒとは別体の部材となっている。
なお、ユニットハウジング５の前面側には、図３に示すように、ヘッドライトユニット１のランプ類と導光体１２やリフレクタ１３の前方を覆うアウターレンズ２０が取り付けられている。図２においては、アウターレンズ２０の図示が省略されている。
【００２４】
図３に示すように、遮蔽壁１５の前面部の差込口１４からの延出長さＬ１は、差込口１４の奥行方向（車体前後方向）の幅Ｗ１よりも長くなるように設定されている。なお、差込口１４の奥行方向の幅Ｗ１は、導光体１２の奥行方向（車体前後方向）の厚みＴ１よりも広くなっている。
【００２５】
以上の構成において、ポジションランプ１０の光源１１が点灯されると、光源１１から発された光は、導光体１２の一端部に入射され、導光体１２の延出方向に沿って導光体１２の他端方向に向かって進む。この間、導光体１２の長手方向の中途部の周囲の面から光が透過し、その光が直接前方側に照射、若しくは、リフレクタ１３に反射して前方側に照射される。
【００２６】
また、導光体１２の延出方向に沿って導光体１２の他端に進んだ光は、リフレクタ１３の右側の壁１３ｒの差込口１４を通り抜け、右側の壁１３ｒの背部において導光体１２の他端の傾斜した端面１２ｅに当たる。導光体１２の他端の端面１２ｅに当たった光は、リフレクタ１３の後壁の背面側に向かって反射する。
【００２７】
以上のように、本実施形態に係るポジションランプ１０（車両用照光装置）においては、導光体１２の他端が差し込まれる差込口１４がリフレクタ１３の右側の壁１３ｒに設けられ、導光体１２の他端の端面１２ｅが、導光体１２の表面側から背面側に向かうに従って長手方向の他端の延出長さが長くなる傾斜面とされている。このため、導光体１２の長手方向に沿って進んで他端の端面１２ｅで反射した光は、導光体１２の前面側（車両の前方側）に出射されにくくなる。したがって、本実施形態に係るポジションランプ１０を採用した場合には、導光体１２の他端の端面１２ｅで反射した光が、導光体１２の周囲の面の一部を点状に光らせる現象を抑制することができる。
【００２８】
また、本実施形態に係るポジションランプ１０では、差込口１４の位置から導光体１２の一端側に向かって所定長さ延びる遮蔽壁１５が設けられ、その遮蔽壁１５が導光体１２の差込口１４の近傍部の表面側を覆う構成とされている。このため、導光体１２の長手方向の他端の端面１２ｅで反射した光の一部が導光体１２内で複雑に反射して背面側以外の方向に進むことがあっても、差込口１４の近傍部から導光体１２の前方側に向かう光は遮蔽壁１５によってほぼ遮蔽されることになる。したがって、この構成を採用することにより、導光体１２の長手方向の他端の端面１２ｅで反射した光が導光体１２の周囲の面の一部を点状に光らせる現象をより抑制することができる。
【００２９】
さらに、本実施形態に係るポジションランプ１０は、ユニットハウジング５の右側の側壁５ｓが差込口１４の背部を覆い導光体１２の他端の端面１２ｅと対向するように設けられ、その右側の側壁５ｓと、リフレクタ１３の遮蔽壁１５とが別体部材として構成されている。このため、壁５ｓと遮蔽壁１５とを一体部品として構成する場合に比較して、両者の成形性を高めることができる。
【００３０】
また、本実施形態に係るポジションランプ１０においては、導光体１２の他端の端面１２ｅが、導光体１２の長手方向に対して長手方向に進む光が全反射する角度以上に傾斜している。このため、導光体１２の他端の端面１２ｅに到達した光の殆どが、傾斜した端面１２ｅで全反射して導光体１２の他端の端面１２ｅから表面側に直接出射しなくなる。したがって、この構成を採用した場合、別体部材であるユニットハウジング５の右側の側壁５ｓと、リフレクタ１３の遮蔽壁１５の間に微小な隙間が生じることがあっても、その隙間を通して導光体１２の他端の端面１２ｅから光が漏れ出るのを抑制することができる。
【００３１】
なお、本発明は上記の実施形態に限定されるものではなく、その要旨を逸脱しない範囲で種々の設計変更が可能である。例えば、上記の実施形態においては、ヘッドライトユニット１のポジションランプ１０が車両用照光装置を構成しているが、本発明に係る車両用照光装置は、ポジションランプ１０に限るものでなく、サイドターンランプ等のその他の照光装置であっても良い。
【符号の説明】
【００３２】
５ｓ…側壁（覆い部材）
１０…ポジションランプ（車両用照光装置）
１１…光源
１２…導光体
１２ｅ…端面
１３…リフレクタ
１４…差込口
１５…遮蔽壁（遮蔽部）
【図１】
0006257107.tif 000002
【図２】
0006257107.tif 000003
【図３】
0006257107.tif 000004